(57)【要約】【課題】矢本体の折を防止すること。【解決手段】吹き矢の矢を、磁石に吸着可能な棒状部材と、その棒状部材を取り囲むようにしてその棒状部材に固定され、かつ、先端側が前記棒状部材により密閉され、後端側が開口している矢本体と、前記棒状部材の先端を接離可能に吸着している永久磁石を有するものとした。【選択図】図１
0003173834.tif 000002
【実用新案登録請求の範囲】
【請求項１】
磁石に吸着可能な棒状部材と、その棒状部材を取り囲むようにしてその棒状部材に固定され、かつ、先端側が前記棒状部材により密閉され、後端側が開口している矢本体と、前記棒状部材の先端を接離可能に吸着している永久磁石とを有することを特徴とする吹き矢の矢。
【請求項２】
請求項１に記載の吹き矢の矢において、前記棒状部材の先端側に筒部材を有し、その筒部材は弾性材料で形成されて、先端側に前記永久磁石を保持するとともに、前記矢本体の先端側の前記棒状部材が前記永久磁石に吸着している状態の時にその棒状部材の先端部分を覆うことを特徴とする吹き矢の矢。
【請求項３】
請求項２に記載の吹き矢の矢において、前記筒部材は、内径の大きい円筒部と内径の小さい円筒部を軸方向に隣接して、かつ、軸芯を一つの軸線に合致させた状態で有し、前記大径の円筒部には円柱状の前記永久磁石が保持され、前記小径の円筒部には前記矢本体の先端側が挿入されて、前記永久磁石の前記小径の円筒部側に露出している部分が前記棒状部材の先端を接離可能に吸着していることを特徴とする吹き矢の矢。
【請求項４】
請求項３に記載の吹き矢の矢において、前記矢本体の先端側が前記小径の円筒部に挿入されている状態で、前記棒状部材の先端の外周面と前記小径の円筒部の内周面との間に、矢が的に当たった時の衝撃により前記矢本体の先端側が前記小径の円筒部の内で移動することを可能にする隙間が設けられていることを特徴とする吹き矢の矢。
【考案の詳細な説明】
【技術分野】
【０００１】
本考案は、スポーツ用または娯楽用などに用いられる吹き矢の矢に関する。
【背景技術】
【０００２】
スポーツ用または娯楽用の伝統的な吹き矢の矢は、樹脂フィルム等のシート材を巻いて、長さ２０ｃｍ程度の円錐状に形成した矢本体（風受け）の先端に、直径３ｍｍ程度の半球状の重りを付けたもの、または、同先端に釘を埋め込んだものであった。しかし、これらの矢は、的に当たった時に突き刺さる形状を有し、発射速度は１４０ｍ/ｓｅｃ程度、射程距離は３０ｍ程度にも達するので、人に当たると非常に危険である。このことから、安全な構造とするため、中空で両端に開放された円錐状に形成された矢本体の先端の孔に固定部材の基端側を差し込んで固定し、その固定部材の先端側に先端面が平らな磁石を固定してなる吹き矢の矢が開発され使用されている（特許文献１参照）。
【先行技術文献】
【特許文献】
【０００３】
【特許文献１】実用新案登録第3127809号公報
【考案の概要】
【考案が解決しようとする課題】
【０００４】
特許文献１に開示された吹き矢の矢は、矢本体の先端に平らな磁石を設けたので、安全であるとともに、磁性材料で作られた的に当たった時にその磁石が的に吸着されるため、伝統的な吹き矢の矢が的に突き刺さったときと同様の姿勢で保持される利点がある。
【０００５】
しかしながら、発射された矢が的に当たった時は大きな衝撃がその矢に加わる。従来の矢は、的に突き刺さるときに、一種の衝撃吸収的に刺さっていくため、大きな問題とはなっていなかった。ところが、特許文献１に開示された吹き矢の矢は、図５に示すように，矢本体１１の先端孔に固定部材１２の基端側１２ａを差し込んで接着固定し、その固定部材１２の先端側１２ｂに磁石１３を接着固定して、一体に構成されている。このため、矢が的に当たった時、的に入り込めないため、その衝撃が大きくなる。
【０００６】
しかも、矢が的に当たる場合、真正面から当たる場合は少なく、磁石１３の先端面が的の面に対し傾いた状態で当たることが多い。たとえば、磁石１３の面が的の面と並行となる状態ではなく、少し下を向いた状態で当たるとする。このような場合、矢本体１１は、的に当たった後、下方に向かう回転力を受ける。すなわち、磁石１３を中心として図５の場合で言えば、時計回りの力を受ける。上述の大きな衝撃力に加え、矢本体１１に対する回転力が発生し、それらの力が直接矢本体１１に加わるため、矢本体１１がその衝撃に耐えきれず、矢本体１１の付け根付近が折れる（図５の一点鎖線で示す状態）などの問題を生じている。したがって、矢の寿命が短くなるという問題がある。
【０００７】
本考案は、上記の点に鑑みてなされたものであり、上記問題を解消した吹き矢の矢を提供することを目的とする。
【課題を解決するための手段】
【０００８】
本考案は、上記目的を達成するため、吹き矢の矢を、磁石に吸着可能な棒状部材と、その棒状部材を取り囲むようにしてその棒状部材に固定され、かつ、先端側が前記棒状部材により密閉され、後端側が開口している矢本体と、棒状部材の先端を接離可能に吸着している永久磁石とで構成したことを特徴とする。
【０００９】
吹き矢の矢は、棒状部材の先端側に筒部材を有し、その筒部材は弾性材料で形成されて、先端側に永久磁石を保持するとともに、矢本体の先端側の棒状部材が永久磁石に吸着している状態の時にその棒状部材の先端部分を覆うようにしても良い。
【００１０】
筒部材は、内径の大きい円筒部と内径の小さい円筒部を軸方向に隣接して、かつ、軸芯を一つの軸線に合致させた状態で有し、大径の円筒部には円柱状の永久磁石が保持され、小径の円筒部には矢本体の先端側が挿入されて、永久磁石の小径の円筒部側に露出している部分が棒状部材の先端を接離可能に吸着しているようにしても良い。
【００１１】
矢本体の先端側が小径の円筒部に挿入されている状態で、棒状部材の先端の外周面と小径の円筒部の内周面との間に、矢が的に当たった時の衝撃により矢本体の先端側が小径の円筒部の内で移動することを可能にする隙間が設けられるようにしても良い。
【考案の効果】
【００１２】
本考案によれば、矢が的に当たった時の矢本体に加わる回転力を逃がすことができるため、矢本体が折れるのを防止できる。
【図面の簡単な説明】
【００１３】
【図１】本考案の第一の実施の形態を示す一部省略断面図である。
【図２】第一の実施の形態の作用・効果を説明する一部省略断面図である。
【図３】本考案の第二の実施の形態を示す分解断面図である。
【図４】第二の実施の形態の作用・効果を説明する一部省略断面図である。
【図５】従来技術を示す一部省略断面図である。
【考案を実施するための形態】
【００１４】
以下、本考案の実施の形態について図面を参照しながら説明する。
【００１５】
図１に示す吹き矢の矢Ａは、紙または樹脂材でできた円錐状の矢本体1と、鉄などの磁石に吸着可能な材料で形成された円柱状の棒状部材２とを有している。この棒状部材２は、先端に断面円形の径大部２ａを有し、その径大部２ａの後端面に棒状部材２の外周に沿って連続する段面２ｂを有する。円錐状の矢本体1は、棒状部材２を取り囲むようにしてその棒状部材に固定され、かつ、先端側が棒状部材２により密閉され、後端側が開口している。矢本体１の棒状部材２に対する固定は、矢本体１の先端側を棒状部材２に巻くとともに、矢本体１の先端縁を棒状部材２の径大部２ａの段面２ｂに当接させた状態で摩擦力のみで固定しても良いし、矢本体１の先端側の棒状部材２に巻かれた部分および径大部２ａの段面２ｂに当接されている先端縁やその近傍を棒状部材２に接着して固定してもよい。
【００１６】
吹き矢の矢Ａは、さらに、永久磁石３を有している。この永久磁石３の横断面形状は、棒状部材２の径大部２ａおよび矢本体１の横断面形状と同様の円形であることが望ましいが、円形以外の多角形であっても良い。そして、永久磁石３は、矢Ａが的に当たった時の衝撃により棒状部材２の先端が瞬時部分的にまたは全体的に離間可能に棒状部材２を吸着している。すなわち、永久磁石３は棒状部材２を接離可能に保持している。このように、吹き矢の矢Ａは、矢本体１および棒状部材２が一体的に接続されたパーツと、そのパーツが接離可能な永久磁石３との２パーツで構成されている。
【００１７】
上記構成により、図２に示すように、図外の吹き筒から発射された矢Ａが磁性材を有する的５に当たるときは、的５に真正面から当たることが少なく、斜め方向から当たる。真正面から当たるときや、斜め方向から当たるときのいずれの場合も、当たったときは、その矢Ａに衝撃が加わると同時に永久磁石３が的５に吸着されるが、その衝撃により矢Ａに的５から離間する方向の反力が作用する。この反力と、従来技術に示すような矢本体１にかかる回転力とにより、棒状部材２の先端が永久磁石３から瞬時、部分的にまたは全体的に離間する。このため、矢Ａが的５に当たった時の衝撃や回転力が、矢本体１にはそれほど加わらない。すなわち、矢本体１に加わる衝撃力や矢本体１を曲げる力の多くが逃され、それらの力が減少する。そのため、矢本体１の折れが防止される。また、衝撃が緩和されるので、矢本体１を棒状部材２に接着固定している場合、その接着状態が無効化されることも防止される。
【００１８】
また、棒状部材２の段面２ｂから後端（図１の棒状部材２の右端）までの長さを２〜１０ｃｍとすると、矢本体１の折れが一層防止される。これは、出願人の研究の結果、矢本体１の折れが２ｃｍ程度以上の所で生ずることが多いことが分かったため、棒状部材２の段面２ｂからの長さを２ｃｍ以上とすると、棒状部材２が支持となり、折れが防止されるのである。また、棒状部材２の段面２ｂからの長さを１０ｃｍを超える長さにすると、吹く力（風力）を受ける領域（スペース）が小さくなり、遠くへ飛ばせなくなるため、１０ｃｍ以下とするのが好ましい。
【００１９】
図３に示された本考案の第２の実施の形態の吹き矢の矢Ｂは、矢本体１と棒状部材２からなる第１パーツのほかに、第２パーツとしての永久磁石３を、弾性材料、例えばゴムで作られた筒部材４に保持したものである。
【００２０】
筒部材４は、内径が大きい円筒部４１と、内径が小さい円筒部４２とを軸線方向に隣接して有している。円筒部４１の中には、永久磁石３が嵌め込んで固定されている。永久磁石３は、先端方向側と円筒部４２側が露出されている。そして、矢Ｂは、円筒部４２の中に矢本体１と棒状部材２の先端側を挿入してある構成となっている。
【００２１】
上記構成により、図４に示すように、図外の吹き筒から発射された矢Ｂが的５Ｎに当たった時は、その矢Ｂに衝撃が加わると同時に永久磁石３が的５Ｎに吸着される。筒部材４は弾性を有するので、その衝撃の一部が筒部材４に吸収される。特に円筒部４１の先端が永久磁石３の先端面よりもわずかでも突出させるようにすれば、一層大きい衝撃吸収効果が得られる。
【００２２】
また、矢Ｂが的５Ｎに当たった時の衝撃により矢Ｂに的５Ｎから離間する方向の反力と回転力が作用し、その反力と回転力により棒状部材２の先端が永久磁石３から瞬時、部分的または全体的に離間しようとする。しかし、このとき、筒部材４に矢本体１の側面が当接し、その離間しようとする動きを阻止する。このため、矢本体１の先端側が折れることが防止される。また、矢Ｂが的５Ｎに当たった時に矢本体１が筒部材４から分離して脱落することも防止される。
【００２３】
第１の実施の形態をさらに発展させた第２の実施の形態では、図３に示すように、筒部材４の小径の円筒部４２の内径d１よりも棒状部材２の先端の外径d２を小さくして、矢本体１の先端側が小径の円筒部４２の中に挿入されている状態で、矢Ｂが的に当たった時の衝撃により矢本体１の先端側が円筒部４２内で移動することを可能にする隙間が設けられている。
【００２４】
上記構成により、矢Ｂが的５Ｎに当たった時の衝撃を逃がすことができるとともに、矢本体１に加わる回転力を柔らかく受け止めることができる。この結果、矢本体が折れるのを防止できる。また、矢本体１が円筒部４２内で移動できる隙間が設けられているので、矢本体１が磁石３から離れにくくなり、矢Ｂが的５Ｎに当たった時に矢本体１が筒部材４から分離して脱落することが一層防止される。
【００２５】
図２に示されている的５は、鉄板などの磁性板５ａの表面をゴムシート５ｂで被覆して構成されている。ゴムシート５ｂは矢Ａや矢Ｂが当たった時の衝撃音を減衰する利点を有するが、永久磁石３の的５に対する吸着力を確保するためにはゴムシート５ｂの肉厚に制約があるので、衝撃音減衰効果にも限界があり、吹き矢ゲームを閑静な室内で行う場合などには、さらなる衝撃音減衰効果が望まれている。
【００２６】
図４に示された的５Ｎは、磁性材料の粉体またはウィスカーを配合分散させた軟質合成樹脂板または軟質合成ゴムで作られた的である。この的５Ｎを用いる場合は、矢Ａや矢Ｂが当たった時は、矢Ａや矢Ｂの永久磁石３を吸着させることができるとともに、大きな衝撃吸収効果が得られるので、矢本体１の折れを防止できるほか、発生する衝撃音をより小さくすることができる。
【００２７】
矢本体１は、円錐状に限らず、角錐状でも良く、棒状部材２は全長が同一径であるものに限らず、中空または中実の円錐状または角錐状でもよい。この場合、矢本体１の内面に、その外周面が沿うように設けるのが好ましい。棒状部材２には頭付きの釘またはねじを用いることもできる。永久磁石３の横断面形状は円形であることが好ましいが、多角形であってもよい。
【００２８】
筒部材４の内径の小さい円筒部４２の内周面と矢本体１の先端側の外周面との間に隙間を設ける実施の形態の場合は、筒部材４は弾性を有しない合成樹脂製とし、永久磁石３を接着により固定した構造としてもよい。また、第１の実施の形態の場合において、ゴムなどの弾性部材で作られた円筒部材を磁石３と径大部２ａを保持し、包み込むように設けてもよい。さらに、径大部２ａの先端面をいわゆる面一とせず、中央が凹部となるリング状の面としたり、細い凹部が複数本径方向に放射状に設けられるものとしてもよい。さらに、径大部２ａと棒状部材２の本体とを別部材で設け、接着剤などで固定するようにしてもよい。また、棒状部材２は径大部２ａと段面２ｂがない同一径の部材としたり、その長さ（段面２ａからの長さ）を２ｃｍ未満としたり、１０ｃｍを超えるようにしてもよい。
【符号の説明】
【００２９】
Ａ，Ｂ  吹き矢の矢
１      矢本体
２      棒状部材
３      永久磁石
４      筒部材
４１    内径の大きい円筒部
４２    内径の小さい円筒部
【図１】
0003173834.tif 000003
【図２】
0003173834.tif 000004
【図３】
0003173834.tif 000005
【図４】
0003173834.tif 000006
【図５】
0003173834.tif 000007